(57)【要約】  本発明は、回転部品上をシールするためのフローティングリングシールに関する。フローティングリングシールは、一体型本体（２０）を備え、一体型本体（２０）は、径方向内側に向けられた第１の絞り領域（２１）と、径方向内側に向けられた第２の絞り領域（２２）と、一体型本体（２０）の内周に設けられた第１の周方向溝（２３）とを備え、第１の溝（２３）は、フローティングリングシールの軸方向（Ｘ−Ｘ）における第１の絞り領域（２１）と第２の絞り領域（２２）との間に配置される。
2021521393.tif 000002
【特許請求の範囲】
【請求項１】
一体型本体（２０）を備え、
前記一体型本体（２０）は、
径方向内側に向けられた第１の絞り領域（２１）と、
径方向内側に向けられた第２の絞り領域（２２）と、
前記一体型本体（２０）の内周に設けられた第１の周方向溝（２３）とを備え、
前記第１の溝（２３）は、前記フローティングリングシールの軸方向（Ｘ−Ｘ）における前記第１の絞り領域（２１）と前記第２の絞り領域（２２）との間に配置される、回転部品上をシールするためのフローティングリングシール。
【請求項２】
前記第１の絞り領域（２１）の第１の幅（Ｂ１）は、前記第２の絞り領域（２２）の第２の幅（Ｂ２）以下である、請求項１に記載のフローティングリングシール。
【請求項３】
前記第１の溝（２３）は、前記第１の幅（Ｂ１）以下、且つ、前記第２の幅（Ｂ２）以下の溝幅（Ｎ１）を有する、請求項２に記載のフローティングリングシール。
【請求項４】
前記一体型本体（２０）は、径方向内側に向けられた第３の絞り領域（２５）を更に備え、
第２の溝（２６）が、前記フローティングリングシールの軸方向（Ｘ−Ｘ）における前記第３の絞り領域（２５）と前記第２の絞り領域（２２）との間に配置される、請求項１〜３のいずれか一項に記載のフローティングリングシール。
【請求項５】
前記一体型本体（２０）は、カーボンを含む材料からなる、請求項１〜４のいずれか一項に記載のフローティングリングシール。
【請求項６】
前記一体型本体（２０）を担持するシールリングキャリア（６）を更に備える、請求項１〜５のいずれか一項に記載のフローティングリングシール。
【請求項７】
前記シールリングキャリア（６）は、前記一体型本体（２０）の前記絞り領域（２１、２２）の反対側に位置する、請求項６に記載のフローティングリングシール。
【請求項８】
前記一体型本体（２０）を浮遊状態で収容するための凹部（５）を含む筐体（４）を更に備える、請求項１〜７のいずれか一項に記載のフローティングリングシール。
【請求項９】
請求項１〜８のいずれか一項に記載のフローティングリングシール（２）を少なくとも１つと、
回転部品（３）とを備える部品装置。
【請求項１０】
前記第１の絞り領域（２１）と前記回転部品（３）の表面との間の第１の絞りギャップ（８）の第１のギャップ高さは一定に保たれ、及び／又は、前記第２の絞り領域（２２）と前記回転部品（３）の前記表面との間の第２の絞りギャップ（９）の第２のギャップ高さは一定に保たれている、請求項９に記載の部品装置。
【請求項１１】
前記第１のギャップ高さは前記第２のギャップ高さと等しい、請求項１０に記載の部品装置。
【発明の詳細な説明】
【技術分野】
【０００１】
本発明は、大幅に軽量化され設計が簡素化された、回転部品、特に回転シャフト上をシールするためのフローティングリングシールに関する。
【背景技術】
【０００２】
従来技術による様々な構成のフローティングリングシールが知られている。例えば、フローティングリングシールは高速ポンプのポンプシャフトをシールするために用いられている。フローティングリングシールはシャフト上で浮遊配置とされ、特にシャフトが径方向にたわんだ場合に適切な径方向のたわみに追従可能である。フローティングリングシールの問題は、フローティングリングシールと回転部品の間の永続的なギャップであり、そこで比較的激しい漏れが生じる。このため、通常、複数のフローティングリングシールが直列に配置される。しかしながら、これは、製造上かなりの手間がかかり、特に、シールされるべき部品の軸方向に大きな設置スペースを要し、ポンプなどの設置全長を増加させる。これらは、そのようなポンプ製造業者が可能な限り避けたいものである。
【発明の概要】
【発明が解決しようとする課題】
【０００３】
そのため、本発明の目的は、回転部品上をシールするためのフローティングリングシールを提供することであり、このフローティングリングシールは、簡素で廉価な設計で、特に、シールの軸方向の全長を短縮することが可能である。更に、本発明の目的は、本発明に係るフローティングリングシールを備える部品装置を提供することである。
【課題を解決するための手段】
【０００４】
本目的は、請求項１に記載の特徴を有するフローティングリングシール及び請求項９に記載の特徴を有する部品装置により解決されるであろう。それぞれの従属請求項は、本発明の好適な実施形態を示す。
【０００５】
より容易な組み立て／分解に加えて、本発明に係る回転部品上をシールするためのフローティングリングシールは、大きな重量的利点を提供する。本発明によると、フローティングリングシールは、径方向内側に向けられた第１及び第２の絞り領域を有する一体型本体を備える。これらの絞り領域は、本体の内周に設けられた第１の周方向溝により互いに分離されている。溝は、第１及び第２の絞り領域の間に位置する。回転部品側に向けられた２つの絞り領域を備え、回転部品と２つの絞り領域との間に絞りギャップを有する一体型のフローティングリングシールを設計することにより、従来技術の２つの個別のフローティングリングシールと比べて、大きな重量的利点がもたらされる。本発明に係るフローティングリングシールの合計質量は、２つの個別のフローティングリングシールと比べて約４０％削減可能である。
【０００６】
好ましくは、第１の絞り領域のフローティングリングシール軸方向の幅は、絞り領域のフローティングリングシール軸方向の第２の幅以下である。これにより、第２の絞り領域の絞り効果が向上し、フローティングリングシールの全体的な漏れが低減される。
【０００７】
間に溝が配置された２つの絞り領域を有する本発明に係る装置の別の大きな利点は、第１の絞り領域を通り第２の絞り領域に向かって流れる漏れ流が溝内で減速され、その後、第２の絞り領域にわたって漏れが大幅に低減されることである。ここで、漏れ流は特に逆流をもたらすことができる。
【０００８】
特に、溝幅は、第１の絞り領域の第１の幅以下、及び／又は、第２の絞り領域の第２の幅以下であることが好ましい。
【０００９】
本発明の他の好ましい実施形態によると、一体型本体は、径方向内側に向けられた第３の絞り領域を更に備える。第３の絞り領域は、第２の絞り領域と直列に配置される。更に、第２の周方向溝が、本体の内周の第２及び第３絞り領域の間に配置される。
【００１０】
一体型本体は、好ましくは、第４の絞り領域を備える。第３の周方向溝が、一体型本体の内周の第３及び第４絞り領域の間に形成される。従って、このようなフローティングリングシールは、４つの絞り領域と３つの周方向溝を備える。
【００１１】
カーボンフローティングリングシールが特に好ましい。フローティングリングシールの一体型設計により、特にカーボンフローティングリングシールとして、製造時の大幅なコスト削減も実現できる。
【００１２】
本発明の他の好ましい実施形態によると、フローティングリングシールは、更にシールリングキャリアを備える。シールリングキャリアは、一体型フローティングリングシールを保持する、分離可能な部品である。シールリングキャリアは、好ましくは、一体型本体の絞り領域の反対側に配置される。
【００１３】
好ましくは、フローティングリングシールはまた、一体型本体又はシールリングキャリア付きの一体型本体を緩く保持する凹部を有する筐体、特にチタン製の筐体を備える。
【００１４】
更に、本発明は、本発明に係るフローティングリングシールと、特にシャフトである回転部品とを備える部品装置に関する。特に、シャフトはポンプシャフト又はコンプレッサシャフトであることが好ましい。
【００１５】
部品装置は、フローティングリングシールの一体型本体の第１の絞り領域と回転部品との間の第１の絞りギャップと、一体型本体の第２の絞り領域と回転部品との間の第２の絞りギャップとを備える。更に好ましくは、これらの絞り領域と回転部品の表面は、第１の絞りギャップ及び／又は第２の絞りギャップのギャップ高さが軸方向に一定に保たれるように設計される。好ましくは、第１の絞りギャップのギャップ高さは、第２の絞りギャップのギャップ高さと等しい。
【００１６】
好ましくは、部品装置は、ポンプ、コンプレッサ又はタービンである。部品装置は、好ましくは、非常に高速で運転される。
【００１７】
以下、フローティングリングシールを備える部品装置の好ましい実施形態の例を、以下の添付の図面を参照しながら詳細に説明する。
【図面の簡単な説明】
【００１８】
【図１】図１は、本発明の第１の実施形態例に係る、フローティングリングシールを備える部品装置の概略断面図である。
【図２】図２は、本発明の第２の実施形態例に係る、フローティングリングシールを備える部品装置の概略斜視図である。
【図３】図３は、本発明の第３の実施形態例に係る、フローティングリングシールを備える部品装置の概略斜視図である。
【発明を実施するための形態】
【００１９】
以下に、図１を参照して、本発明の第１の実施形態例に係るフローティングリングシール２を備える部品装置１を詳細に説明する。
【００２０】
図１から分かるように、フローティングリングシール２は、一体型本体２０とシールリングキャリア６を備える。シールリングキャリア６は、一体型本体２０を保持するようになっている。
【００２１】
一体型本体２０は、第１の絞り領域２１と第２の絞り領域２２とを備える。第１の絞り領域２１は、一体型本体２０の径方向内側に向けられた領域に位置する。第２の絞り領域２２もまた、一体型本体２０の径方向内側に向けられた領域に位置する。
【００２２】
図１から分かるように、フローティングリングシール２は、シャフト３上でプロダクト領域１０を大気領域１１からシールする。第１の絞り領域２１とシャフト３の表面との間に第１の絞りギャップ８が形成され、第２の絞り領域２２とシャフト３の表面との間に第２の絞りギャップ９が形成される。
【００２３】
フローティングリングシール２の軸方向Ｘ−Ｘにおける第１の絞り領域２１と第２の絞り領域２２との間には、溝２３が配置される。溝２３は、一体型本体２０の内周の全周にわたって形成される。
【００２４】
軸方向Ｘ−Ｘにおいて、第１の絞り領域２１の第１の幅Ｂ１は、第２の絞り領域２２の第２の幅Ｂ２よりも短い。更に、溝２３の軸方向Ｘ−Ｘの幅Ｎ１は、第１の幅Ｂ１及び第２の幅Ｂ２よりも短い。
【００２５】
第１の絞りギャップ８の第１ギャップ高さは軸方向Ｘ−Ｘにおいて一定に保たれる。第２の絞りギャップ９の第２ギャップ高さも軸方向Ｘ−Ｘにおいて一定である。好適には、第１及び第２の絞りギャップのギャップ高さは、第２の絞りギャップ９の第２ギャップ高さが第１の絞りギャップ８の第１ギャップ高さと等しくなるように選択される。
【００２６】
フローティングリングシール２は、筐体４の凹部５に位置する。筐体４は、シャフト３の軸方向に組み立て可能である複数の部分から設計されている。図１から分かるように、フローティングリングシール２は、凹部５内に浮遊状態で配置される。これにより、フローティングリングシール２が、動作中に起こり得るシャフト３の径方向のたわみの際にシャフトの動きに追従可能となる。この場合、シャフトの径方向の動きにより、シャフト３と一体型本体２０とが短期的に接触することもある。
【００２７】
フローティングリングシール２はまた、自身を本体４内に取り付け可能とするロック機構７を含む。ロック機構７は、ヘッド７１を有するボルト７０を備える。図１から分かるように、ボルト７０はシールリングキャリア６内に位置する。ヘッド７１は軸方向Ｘ−Ｘに突出しており、凹部５の側方ノッチ５０内に位置する。側方ノッチ５０には、フローティングリングシール２が上記のシャフトの径方向のたわみに追従できるように、ヘッド７１のための径方向のクリアランスを設ける。これを両方向矢印Ａで示す。
【００２８】
筐体４には、フローティングリングシール２を上記の径方向のたわみに対応できるようにするために軸方向Ｘ−Ｘに突出する突起４０が形成される。これにより、凹部５において、フローティングリングシールを安全にガイドすることが可能となる。突起４０はまた、媒体が絞りギャップ８、９を迂回して、フローティングリングシール２の後ろの経路を通るのを防ぐ。
【００２９】
突起４０は、周方向の全周にわたって設けられている。
【００３０】
このようにして、従来技術で以前に使用されていた２つの個別のフローティングリングシールを、フローティングリングシール２に置き換えることができる。特に、約４０％までの大幅な軽量化が実現可能となる。更に、フローティングリングシール２の一体型設計により、フローティングリングシール２を交換する必要がある場合に、はるかに容易な組み立て及び分解を可能とする。そのうえ、ロック機構７はシールキャリア６にのみ設けられているので、フローティングリングシールの一体型本体２０は、ロック機構を収容するために、脆弱化をもたらす凹みや溝等を組み込むことなく設計することができる。これにより、本体２０の重量が更に軽減され、一体型本体２０の耐用年数が大幅に延びる。
【００３１】
動作中に、第１の絞りギャップ８を介していくらかの漏れが生じるが、周方向溝２３が備わっているため、溝２３の領域において漏れの流速は著しく低下する。したがって、大気領域１１に向かう第２の絞りギャップ９を通る別の漏れは、再び大幅に減少されるか、又は必要に応じて完全に防止することができる。
【００３２】
溝２３の深さは、第１の絞りギャップ８を通って溝２３に到達した漏れのうちの少なくとも一部の戻り流Ｃが溝２３の領域において発生するように選択される。これは更に、フローティングリングシールを通る漏れの流速を低下し、第２の絞りギャップ９を通る更なる漏れを最小限に抑える。
【００３３】
図２は、本発明の第２の実施形態に係る部品装置１を示しており、同じ部品又は動作上同じ部品は同じ符号で示す。
【００３４】
図２から分かるように、部品装置１は、本発明に係る２つの分離したフローティングリングシール２を備える。フローティングリングシール２の基本構造は、第１の実施形態例と同じである。しかしながら、図２から分かるように、これらのフローティングリングシール２は、シャフト３上に互いに鏡映反転で配置される。従って、プロダクト領域１０から大気領域１１へ向かう方向に合計４つの絞りギャップが設けられる。更に、図２から分かるように、周方向溝４１が、筐体４の第１及び第２のフローティングリングシール２の間の領域に設けられる。この周方向溝４１において、第１のフローティングリングシール２を介してもたらされた漏れが蓄積して戻り流Ｃを形成し、第２のフローティングリングシールを介して大気領域１１へと生じる漏れを更に低減する。
【００３５】
図３は、本発明の第３の実施形態例に係る部品装置を示す。図３から分かるように、第３の実施形態例のフローティングリングシール２は、第３の絞り領域２５を備えており、第１の絞り領域２１と第２の絞り領域２２との間に設けられた第１の溝２３と、第２の絞り領域２２と第３の絞り領域２５との間に設けられた第２の溝２６を有する。第１の実施形態例と同様に、第１の溝２３と第２の溝２６は、円周方向の全周にわたって設計されている。このようにして、３つの絞り領域を有することにより、プロダクト領域１０から大気領域１１への漏れを更に低減する一体型本体２０が提供される。
【符号の説明】
【００３６】
１      部品装置
２      フローティングリングシール
３      シャフト
４      筐体
５      凹部
６      シールリングキャリア
７      ロック機構
８      第１の絞りギャップ
９      第２の絞りギャップ
１０    プロダクト領域
１１    大気領域
２０    一体型本体
２１    第１の絞り領域
２２    第２の絞り領域
２３    第１の溝
２４    突起
２５    第３の絞り領域
２６    第２の溝
４０    突起
４１    溝
５０    側方ノッチ
７０    ボルト
７１    ヘッド
Ａ      両方向矢印
Ｂ１    第１の幅
Ｂ２    第２の幅
Ｃ      戻り流
Ｎ１    第１の溝２３の溝幅
Ｘ−Ｘ  軸方向
【図１】
2021521393.tif 000003
【図２】
2021521393.tif 000004
【図３】
2021521393.tif 000005
【手続補正書】
【提出日】令和3年1月6日(2021.1.6)
【手続補正１】
【補正対象書類名】明細書
【補正対象項目名】０００６
【補正方法】変更
【補正の内容】
【０００６】
好ましくは、第１の絞り領域のフローティングリングシール軸方向の第１の幅は、第２の絞り領域のフローティングリングシール軸方向の第２の幅以下である。これにより、第２の絞り領域の絞り効果が向上し、フローティングリングシールの全体的な漏れが低減される。
【手続補正２】
【補正対象書類名】明細書
【補正対象項目名】００２７
【補正方法】変更
【補正の内容】
【００２７】
フローティングリングシール２はまた、自身を筐体４内に取り付け可能とするロック機構７を含む。ロック機構７は、ヘッド７１を有するボルト７０を備える。図１から分かるように、ボルト７０はシールリングキャリア６内に位置する。ヘッド７１は軸方向Ｘ−Ｘに突出しており、凹部５の側方ノッチ５０内に位置する。側方ノッチ５０には、フローティングリングシール２が上記のシャフトの径方向のたわみに追従できるように、ヘッド７１のための径方向のクリアランスを設ける。これを両方向矢印Ａで示す。
【手続補正３】
【補正対象書類名】明細書
【補正対象項目名】００３０
【補正方法】変更
【補正の内容】
【００３０】
このようにして、従来技術で以前に使用されていた２つの個別のフローティングリングシールを、フローティングリングシール２に置き換えることができる。特に、約４０％までの大幅な軽量化が実現可能となる。更に、フローティングリングシール２の一体型設計により、フローティングリングシール２を交換する必要がある場合に、はるかに容易な組み立て及び分解を可能とする。そのうえ、ロック機構７はシールリングキャリア６にのみ設けられているので、フローティングリングシールの一体型本体２０は、ロック機構を収容するために、脆弱化をもたらす凹みや溝等を組み込むことなく設計することができる。これにより、本体２０の重量が更に軽減され、一体型本体２０の耐用年数が大幅に延びる。
【国際調査報告】
2021521393.tif 000006
2021521393.tif 000007
2021521393.tif 000008
2021521393.tif 000009